(57)【要約】      （修正有）【課題】外表面側に張設したフィルム状のシートの張り力を長期間維持することができ、現場での組立て作業も容易な二重シート構造の組立建屋のパネルを提供する。【解決手段】パネル枠に巻き回したフィルムシート１に第１の張力を付与したパネル３を、組立建屋の骨組材Ｂに組付け固定する組立建屋のパネル組付装置であって、前記パネル枠における側枠の外側側面にそれぞれ設けた第２の条溝に挿入されて、前記フィルムシート１に第２の張力を付与するとともに、前記パネル３を前記組立建屋の骨組材Ｂに組付け固定する組付固定具７，８を備える。【選択図】図４
2010024636.tif 000002
【特許請求の範囲】
【請求項１】
枠の両面にフィルムシートを張設してなる組立建屋のパネル枠であって、
対向して配置される２つの側枠と、この側枠間に設けた桟部材とにより構成され、
前記側枠は、外側端面に設けられ、フィルムシートに第１の張力を付与するための第１の条溝と、外側側面にそれぞれ設けられ、組付け時、フィルムシートに第２の張力を付与するための第２の条溝と
を備えたことを特徴とする組立建屋のパネル枠。
【請求項２】
請求項１に記載のパネル枠に巻き回したフィルムシートと、
前記パネル枠の前記第１の条溝に嵌め込み固定され、前記フィルムシートに第１の張力を付与する止着部材と
を備えたことを特徴とする組立建屋のパネル。
【請求項３】
請求項２に記載のパネルを、組立建屋の骨組材に組付け固定する組立建屋のパネル組付装置であって、
前記パネル枠の前記第２の条溝に挿入されて、前記フィルムシートに第２の張力を付与するとともに、前記パネルを前記組立建屋の骨組材に組付け固定するパネル組付固定具を備えた
ことを特徴とする組立建屋のパネル組付装置。
【請求項４】
請求項３に記載の組立建屋のパネル組付装置において、
前記パネル組付固定具は、
前記パネルを組立建屋の骨組材へ取付けるに際し、組立建屋の骨組材に組立建屋外側から着脱可能に固定され、前記パネルにおける前記側枠の外側の第２の条溝に前記フィルムシートを介して挿入される突片部を有する第１のパネル組付固定具と、
前記パネルを組立建屋の骨組材へ取付けるに際し、組立建屋の骨組材に組立建屋内側から着脱可能に固定され、前記パネルにおける前記側枠の内側の第２の条溝に前記フィルムシートを介して挿入される突片部を有する第２のパネル組付固定具とを備えた
ことを特徴とする組立建屋のパネル組付装置。
【請求項５】
請求項４に記載の組立建屋のパネル組付装置において、
前記第１のパネル組付固定具は、組立建屋の骨組材に組立建屋外側から着脱可能に固定される固定具本体と、この固定具本体の下側基端部に設けられ、前記パネルを仮受けする支持部と、前記固定具本体の先端部に設けられ、前記パネルの外側側部を覆うカバー部と、このカバー部の端部に内側に向かって設けられ、前記パネルにおける前記側枠の外側の第２の条溝に前記フィルムシートを介して挿入される突片部と、前記パネルを仮受けする支持部の下側に設けたねじとを有し、
前記第２のパネル取付具は、組立建屋の骨組材に組立建屋内側から着脱可能に固定される固定具本体と、この固定具本体の上側端部に設けられ、前記パネルの内側側部を覆うとともに、前記パネルにおける前記側枠の内側の第２の条溝に前記フィルムシートを介して挿入される突片部とを有する
ことを特徴とする組立建屋のパネル組付装置。
【請求項６】
枠の両面にフィルムシートを張設してなる組立建屋のパネル組付方法において、
対向して配置され、外側端面に設けた第１の条溝と外側側面にそれぞれ設けた第２の条溝とを有する２つの側枠と、この側枠間に設けた桟部材とからなる枠体における前記２つの側枠間に、フィルムシートを張設し、断熱空間を有するパネルと成形する手順と、
前記パネルにおける前記側枠の前記第１の条溝に前記フィルムシートを介して止着部材を嵌め込み固定して、前記フィルムシートに第１の張力を付与する手順と、
組立建屋の骨組材に固定するパネル組付固定具によって、前記フィルムシートに第１の張力を付与した前記パネルを、前記組立建屋の骨組材に組付ける際に、前記パネル組付固定具の一部を前記パネルにおける前記側枠の前記第２の条溝に前記フィルムシートを介して挿入し、前記フィルムシートに第２の張力を付与する手順と、
を備えたことを特徴とする組立建屋のパネル組付方法。
【発明の詳細な説明】
【技術分野】
【０００１】
本発明は、農業や園芸用の温室、日除け、暑さ対策、及び緊急避難用の簡易建屋等における組立建屋の屋根、壁に用いられる組立建屋のパネル枠、組立建屋のパネル、組立建屋のパネル組付装置、及びパネル組付方法に係り、保温性に優れ、現場での組立て作業が容易な二重シート構造の組立建屋のパネル枠、組立建屋のパネル、組立建屋のパネル組付装置、及びパネル組付方法に関する。
【背景技術】
【０００２】
通常、植物の栽培に使用される温室等の組立建屋においては、保温性向上を目的として温室を構成する屋根部を、ポリ塩化ビニル、ポリエチレン等の樹脂からなる透明フィルムを二重構造とする技術が既に開示されている。
【０００３】
その一例として、ユニットパネルを用いるものがある。このユニットパネルは上部開口部を狭く形成した断面Ｕ形のフィルム固定具を、底面を互いに合わせて上下に組合せて、長方形に溶接し、更に内側にフィルム固定具を十字状に溶接して枠体を形成し、この長方形状の枠体の上下両面にフィルムをそれぞれ張り渡して、この縁部をフィルム固定具の上部開口部から挿入して波形のスプリングで押えて固定し、内側に密閉された断熱空間部を形成したものである（例えば、特許文献１参照。）。
【０００４】
【特許文献１】特開２００７−３３０２１３号公報（段落００１７，００１８、図４，図５）
【発明の開示】
【発明が解決しようとする課題】
【０００５】
上述したユニットパネルにおいては、枠体を形成したフィルム固定具の上下両面にフィルムをそれぞれ張り渡して、このフィルムの縁部をフィルム固定具の上部開口部から挿入して波形のスプリングで押えて固定するものであるため、フィルムに強風が作用すると、煽りを受けて、フィルムの端部の一部がシート固定具から緩み出ることがある。また、降雪量が多い地域で使用された場合、降雪により、フィルムが下側に撓み、上述と同様にフィルムの端部の一部がシート固定具から緩み出ることがある。
【０００６】
このように、フィルムの端部の一部がシート固定具から緩み出ると、フィルムの上面に凹みができる。凹みができると、この凹みに雨水が溜まり、塵が堆積したり、苔が発生したりして、ハウス内で栽培される作物に対する紫外線、太陽光の照射量が更に減少したり、また、フィルムの劣化を促進させる等の問題が発生する。
【０００７】
本発明は、上述の事柄に基づいてなされたもので、外表面側に張設したフィルム状のシートの張り力を長期間維持することができ、現場での組立て作業も容易な二重シート構造の組立建屋のパネル枠、組立建屋のパネル、組立建屋のパネル組付装置、及びパネル組付方法を提供することを目的とする。
【課題を解決するための手段】
【０００８】
上記の目的を達成するために、第１の発明は、枠の両面にフィルムシートを張設してなる組立建屋のパネル枠であって、対向して配置される２つの側枠と、この側枠間に設けた桟部材とにより構成され、前記側枠は、外側端面に設けられ、フィルムシートに第１の張力を付与するための第１の条溝と、外側側面にそれぞれ設けられ、組付け時、フィルムシートに第２の張力を付与するための第２の条溝とを備えたことを特徴とする。
【０００９】
また、第２の発明は、第１の発明のパネル枠に巻き回したフィルムシートと、前記パネル枠の前記第１の条溝に嵌め込み固定され、前記フィルムシートに第１の張力を付与する止着部材とを備えたことを特徴とする組立建屋のパネルにある。
【００１０】
更に、第３の発明は、第２の発明のパネルを、組立建屋の骨組材に組付け固定する組立建屋のパネル組付装置であって、前記パネル枠の前記第２の条溝に挿入されて、前記フィルムシートに第２の張力を付与するとともに、前記パネルを前記組立建屋の骨組材に組付け固定するパネル組付固定具を備えたことを特徴とする。
【００１１】
また、第４の発明は、第３の発明の組立建屋のパネル組付装置において、前記パネル組付固定具は、前記パネルを組立建屋の骨組材へ取付けるに際し、組立建屋の骨組材に組立建屋外側から着脱可能に固定され、前記パネルにおける前記側枠の外側の第２の条溝に前記フィルムシートを介して挿入される突片部を有する第１のパネル組付固定具と、前記パネルを組立建屋の骨組材へ取付けるに際し、組立建屋の骨組材に組立建屋内側から着脱可能に固定され、前記パネルにおける前記側枠の内側の第２の条溝に前記フィルムシートを介して挿入される突片部を有する第２のパネル組付固定具とを備えたことを特徴とする。
【００１２】
更に、第５の発明は、第４の発明のパネル組付装置において、前記第１のパネル組付固定具は、組立建屋の骨組材に組立建屋外側から着脱可能に固定される固定具本体と、この固定具本体の下側基端部に設けられ、前記パネルを仮受けする支持部と、前記固定具本体の先端部に設けられ、前記パネルの外側側部を覆うカバー部と、このカバー部の端部に内側に向かって設けられ、前記パネルにおける前記側枠の外側の第２の条溝に前記フィルムシートを介して挿入される突片部と、前記パネルを仮受けする支持部の下側に設けたねじとを有し、前記第２のパネル取付具は、組立建屋の骨組材に組立建屋内側から着脱可能に固定される固定具本体と、この固定具本体の上側端部に設けられ、前記パネルの内側側部を覆うとともに、前記パネルにおける前記側枠の内側の第２の条溝に前記フィルムシートを介して挿入される突片部とを有することを特徴とする。
【００１３】
また、第６の発明は、枠の両面にフィルムシートを張設してなる組立建屋のパネル組付方法において、対向して配置され、外側端面に設けた第１の条溝と外側側面にそれぞれ設けた第２の条溝とを有する２つの側枠と、この側枠間に設けた桟部材とからなる枠体における前記２つの側枠間に、フィルムシートを張設し、断熱空間を有するパネルと成形する手順と、前記パネルにおける前記側枠の前記第１の条溝に前記フィルムシートを介して止着部材を嵌め込み固定して、前記フィルムシートに第１の張力を付与する手順と、組立建屋の骨組材に固定するパネル組付固定具によって、前記フィルムシートに第１の張力を付与した前記パネルを、前記組立建屋の骨組材に組付ける際に、前記パネル組付固定具の一部を前記パネルにおける前記側枠の前記第２の条溝に前記フィルムシートを介して挿入し、前記フィルムシートに第２の張力を付与する手順とを備えたことを特徴とする。
【発明の効果】
【００１４】
本発明によれば、予め、パネルに張設したシートフィルムに、組付け時に、更に、シートフィルムに張力を付与することができるので、フィルム状のシートの張り力を長期間維持することができる。その結果、塵の堆積、苔の発生によるシートフィルム面の汚れが防止され、ハウス内で栽培される作物に対する紫外線、太陽光の照射量の減少を抑えることができ、また、シートフィルムの劣化も抑えられる等の効果を奏する。
【発明を実施するための最良の形態】
【００１５】
以下、本発明の組立建屋のパネル枠、組立建屋のパネル、組立建屋のパネル組付装置、及びパネル組付方法の実施の形態を図面を用いて説明する。  
図１及び図２は、本発明に係る組立建屋のパネル枠の一実施の形態を示すもので、図１は本発明に係る組立建屋のパネル枠の一実施の形態を示す斜視図、図２は図１のII−II矢視から本発明に係る組立建屋のパネル枠の一実施の形態を見た端面図である。
【００１６】
図１および図２において、１はフィルムシート、２はフィルムシート１が張設される組立建屋のパネル枠である。  
パネル枠２は、対向して配置される長尺の側枠２Ａとこの側枠２Ａ間に間隔をもって設けた桟部材２Ｂとで組み立てられている。側枠２Ａの外側端面には、図２に示すように、フィルムシート１に第１の張力を付与するための第１の条溝２Ｃが、側枠２Ａの長手方向に設けられている。また、側枠２Ａの外側側面には、図２に示すように、組立建屋の骨組材への組付け時、フィルムシート１に第２の張力を付与するための第２の条溝２Ｄがそれぞれ設けられている。
【００１７】
桟部材２Ｂは、側枠２Ａの第１の条溝２Ｃの底面に設けた孔（図示せず）を通して挿入されるビス２Ｅによって、側枠２Ａに固定されている。側枠２Ａの第１の条溝２Ｃの底面には、パネル枠２に巻き回したフィルムシート１に第１の張力を付与するための止着部材（後述する）を嵌め込み固定するビス孔２Ｆが側枠２Ａの長手方向に複数個設けられている。
【００１８】
前述したパネル枠２における側枠２Ａの外側側面にそれぞれ設けられ第２の条溝２Ｄには、後述するパネル（パネル枠２にフィルムシート１を張設し上述した第１の張力を付与したもの）を、組立建屋の骨組材に組付け固定する際に、フィルムシート１に更に第２の張力を付与するための組付固定具（後述する）が、嵌め込まれる。
【００１９】
上述したパネル枠２における側枠２Ａは、その外側端面に、フィルムシート１に第１の張力を付与するため第１の条溝２Ｃが、外側側面のそれぞれに、フィルムシート１に第２の張力を付与するための第２の条溝２Ｄを有するように、例えば、アルミ材により一体成形されている。
【００２０】
図３は本発明に係る組立建屋のパネルの一実施の形態を示す端面図で、この図３において、図１および図２に示す符号と同符号のものは同一部分である。この図３において、パネル３は、前述したように、図１及び図２に示すパネル枠２の側枠２Ａ間に、フィルムシート１を巻き回したのち、パネル枠２の側枠２Ａにおける第１の条溝２Ｃに、この第１の条溝２Ｃの内面と同形状の突部４Ａを有する止着部材４をそれぞれ嵌め込み、止着部材４をビス５によって側枠２Ａに固定することによって、形成されている。
【００２１】
このパネル３は、パネル枠２の側枠２Ａにおける第１の条溝２Ｃに、止着部材４の突部４Ａをそれぞれ嵌め込み固定することにより、フィルムシート１における第１の条溝２Ｃに位置していた部分が、第１の条溝２Ｃの内面の全面に密接するように押し込まれるので、フィルムシート１には第１の張力が作用し、パネル枠２に掛け回されたフィルムシート１の上面及び下面は、緊張状態に維持される。
【００２２】
上述した止着部材４によるフィルムシート１への第１の張力の付与により、フィルムシート１の面に、強風等が作用しても、フィルムシート１の緊張状態を長期間維持することができる。これにより、フィルムシート１の凹み発生を抑えることができる。
【００２３】
図４は、本発明に係る組立建屋のパネル組付装置の一実施の形態を示す横断面図で、この図４において、図１乃至図３に示す符号と同符号のものは同一部分である。この図４において、パネル組付装置６は、組立建屋の骨組材Ｂにパネル３を組み付けるもので、組立建屋の骨組材Ｂの外側に設けられる第１の組付固定具７と組立建屋の骨組材Ｂの内側に設けられる第２の組付固定具８とを備えている。
【００２４】
第１の組付固定具７は、縦板７０と、この縦板７０の下側両側にそれぞれ設けたパネルの仮受部７１と、縦板７０の上側両側にそれぞれ設けたパネル上側保持部７２と、このパネル上側保持部７２の端部に下方向に突出した設けた突部７３と、縦板７０の下部に設けられ、組立建屋の骨組材Ｂのネジ孔（図示せず）に挿入されるねじ７４とを備えている。パネルの仮受部７１，７１間の寸法は、パネル組付け時に、パネルの仮受部７１の先端が下側の第２の条溝２Ｄに嵌り込まないようにするために、突部７３，７３間の寸法より小さく設定されている。
【００２５】
第２の組付固定具８は、横板８０と、この横板８０の両端部にそれぞれ設けた縦板状のパネル下側保持部８１と、横板８０の横方向中間部に設けたねじ孔８２と、第１の組付固定具７のねじ７４にねじ込まれるナット８４とを備えている。
【００２６】
前述した第１の組付固定具７の突部７３は、パネル３の組付固定時に、フィルムシート１を介してパネル枠２における側枠２Ａの外側側面の一方（この例では上側）の第２の条溝２Ｄ内に入り込み、フィルムシート１を第２の条溝２Ｄの底面に当接させて、フィルムシート１の上面側に第２の張力を付与する。
【００２７】
また、前述した第２の組付固定具８の縦板状のパネル下側保持部８１の先端部は、パネル３の組付固定時に、組立建屋の骨組材Ｂの内側から外側に向かって押し上げられて、フィルムシート１を介してパネル枠２における側枠２Ａの外側側面の他方（この例では下側）の第２の条溝２Ｄ内に入り込み、フィルムシート１を第２の条溝２Ｄの底面に当接して、フィルムシート１の下面側に第２の張力を付与するとともに、パネル３を第１の組付固定具７に押し当てる機能を備えている。
【００２８】
更に、前述したフィルムシート１の第２の条溝２Ｄ内での第１の組付固定具７の突部７３との当接、及び前述したフィルムシート１の第２の条溝２Ｄ内での第２の組付固定具８の縦板状のパネル下側保持部８１の先端部との当接は、組立建屋内への塵埃、雨水の浸入を抑えるシール機能も兼ね備えている。
【００２９】
また、第１の組付固定具７の突部７３，７３間の長さと、第２の組付固定具８の縦板状のパネル下側保持部８１の先端部間の長さは、ほぼ同一に設定され、パネル３を上下方向から挟持した際に、パネル３に偏荷重が作用しないように、第１の組付固定具７の突部７３と、第２の組付固定具８の縦板状のパネル下側保持部８１の先端部とを同一面内に位置させている。
【００３０】
次に、上述した本発明に係る組立建屋のパネル組付装置によって、パネル３を組立建屋の骨組材Ｂに組み付ける方法を図３乃至図６を用いて説明する。  
図５に示すように、予め地上に設置した組立建屋の骨組材Ｂの外側に、第１の組付固定具７を仮止めして設置する。この第１の組付固定具７のパネルの仮受部７１上に、図３に示すパネル３の側部をそれぞれ載置する。パネル３を第１の組付固定具７のパネルの仮受部７１上に載置させるには、例えば、パネル３の一方側の側部を、斜め方向から一方側の第１の組付固定具７に挿入したのち、パネル３の他方側の側部を、他方側の第１の組付固定具７に挿入することにより可能である。
【００３１】
次に、図６に示すように、第２の組付固定具８のねじ孔８２に、第１の組付固定具７のねじ７４を挿入しながら、第２の組付固定具８を組立建屋の骨組材Ｂの内側から外側に向かって押し上げる。これにより、第２の組付固定具８のパネル下側保持部８１の先端部が、フィルムシート１を介してパネル枠２における側枠２Ａの外側側面の他方（この例では下側）の第２の条溝２Ｄ内に入り込み、フィルムシート１を第２の条溝２Ｄの底面に当接させ、フィルムシート１の下面側に第２の張力を付与するとともに、パネル３を第１の組付固定具７側に押し上げる。
【００３２】
パネル３が第１の組付固定具７側に押し上げられ、第１の組付固定具７側に到達すると、第１の組付固定具７の突部７３が、図４に示すように、フィルムシート１を介してパネル枠２における側枠２Ａの外側側面の一方（この例では上側）の第２の条溝２Ｄ内に入り込み、フィルムシート１を第２の条溝２Ｄの底面に当接させて、フィルムシート１の上面側に第２の張力を付与する。その後、第１の組付固定具７のねじ７４に、ナット８４をねじ込むことにより、パネル３を組立建屋の骨組材Ｂに組み付け固定する。
【００３３】
上述した本発明の組立建屋のパネル組付装置によれば、フィルムシート１に予め付与されている第１の張力に加えて、組み付け時に、パネル３におけるフィルムシート１の上面及び下面に、更に第２の張力をそれぞれ付与することができるので、フィルム状のシートの張り力を長期間維持することができる。その結果、塵の堆積、苔の発生によるシートフィルム面の汚れが防止され、ハウス内で栽培される作物に対する紫外線、太陽光の照射量の減少を抑えることができ、また、シートフィルムの劣化も抑えられる等の効果がある。また、水密性、気密性も良好である。
【００３４】
なお、上述したパネル３は、図７に示すように、組立建屋の屋根用パネル、壁用のパネルに使用可能である。また、複数のパネル３を図７に示すようにユニット化し、クレーン等の荷役機械Ｃで、組立建屋の骨組材Ｂに組み付けことも可能である。これによれば、組付作業が向上し、組立建屋の組立作業が短縮する。
【００３５】
なお、上述した本発明に係る組立建屋のパネル組付装置において、第１の組付固定具７のパネルの仮受部７１に、上方に向かう突出部を設けたが、この突出部を省略することも可能である。また、上側保持部７２の端部に下方向に突出する突部７３を設けたが、この突部７３の先端を円弧状に形成し、また、ゴム等の弾性体を設けることも可能である。また、第２の組付固定具８におけるパネル下側保持部８１の先端も、上記と同様にすることも可能である。更に、上述した本発明の実施の形態において、第２の組付固定具８におけるパネル下側保持部８１の先端を、パネル組み付け時に、第１の組付固定具７の第２の条溝２Ｄ内に挿入するようにしたが、第１の組付固定具７の第２の条溝２Ｄを省略して、平面部に当接させるように構成しても良い。
【図面の簡単な説明】
【００３６】
【図１】本発明に係る組立建屋のパネル枠の一実施の形態を示す斜視図である。
【図２】本発明に係る組立建屋のパネル枠の一実施の形態を図１のII−II矢視から見た端面図である。
【図３】本発明に係る組立建屋のパネルの一実施の形態を示す端面図である。
【図４】本発明に係る組立建屋のパネル組付装置の一実施の形態を示す端面図である。
【図５】本発明に係る組立建屋のパネル組付装置の一実施の形態によるパネルの組付固定方法を説明する横断面である。
【図６】本発明に係る組立建屋のパネル組付装置の一実施の形態によるパネルの組付固定方法を説明する横断面である。
【図７】本発明の係る組立建屋の一実施の形態の組付方法を説明する斜視面である。
【符号の説明】
【００３７】
１        フィルムシート
２        パネル枠
２Ａ      側枠
２Ｃ      第１の条溝
２Ｄ      第２の条溝
３        パネル
７        第１の組付固定具
８        第２の組付固定具
【図１】
2010024636.tif 000003
【図２】
2010024636.tif 000004
【図３】
2010024636.tif 000005
【図４】
2010024636.tif 000006
【図５】
2010024636.tif 000007
【図６】
2010024636.tif 000008
【図７】
2010024636.tif 000009